(57)【要約】【課題】  本発明の課題は、ペットの異常をほぼ確実に検出することができるペット健康管理システムを提供することにある。【解決手段】  ペット健康管理システム１００は、ペット４０の健康を管理するためのペット健康管理システムであって、ペット状態情報取得装置２３，４１，２８５，２８６，２９およびペット健康判断装置１１１を備える。ペット状態情報取得装置は、ペット状態情報を取得する。ペット健康判断装置１１１は、ペット状態情報に含まれる情報を利用してペットが健康な状態にあるか否かを判断する。【選択図】      図１
2006042670.tif 000002
【特許請求の範囲】
【請求項１】
ペット（４０）の健康を管理するためのペット健康管理システムであって、
前記ペットの体温、心拍数、呼吸数、歩数、運動量、行動範囲、食事量、排便量、食事時間、水分補給量、水分補給時間、位置、および臭いの情報のうち少なくとも１つの情報を含むペット状態情報を取得するためのペット状態情報取得装置（２３，２９，４１，２８５，２８６）と、
前記ペット状態情報に含まれる情報を利用して前記ペットが健康な状態にあるか否かを判断するペット健康判断装置（１１１）と、
を備える、ペット健康管理システム（１００）。
【請求項２】
前記ペット状態情報に含まれる情報を保存するペット状態情報保存装置（１１４，２１４）と、
前記ペット状態情報に含まれる情報を表示するペット状態情報表示装置（１２，２４）と、
をさらに備える、請求項１に記載のペット健康管理システム（１００）。
【請求項３】
前記ペット健康判断装置において前記ペットが健康な状態にないと判断された場合に所定の情報を所定の情報処理装置（５０）に送信する情報送信装置（１１３）をさらに備える、請求項１または２に記載のペット健康管理システム（１００）。
【請求項４】
画像情報を取得する画像情報取得装置（２５）をさらに備え、
前記所定の情報は、前記画像情報取得装置によって取得された前記画像情報である、
請求項３に記載のペット健康管理システム（１００）。
【請求項５】
空気調和装置（３１，３２）をさらに備え、
前記所定の情報処理装置は、前記空気調和装置を制御するための空調制御情報を前記空気調和装置に送信可能である、
請求項３または４に記載のペット健康管理システム（１００）。
【請求項６】
空気調和装置（３１，３２）と、
前記ペット状態情報に含まれる情報を利用して前記空気調和装置を制御する空調制御装置（２２）と、
をさらに備える、請求項１から４のいずれかに記載のペット健康管理システム（１００）。
【請求項７】
前記空気調和装置は、香り成分およびエッセンシャルオイルの少なくとも一方を放出する香り等放出部を有し、
前記空調制御装置は、香り等放出部を制御可能である、
請求項５または６に記載のペット健康管理システム。
【請求項８】
前記ペットに餌または飲料を供給するためのフィーダ装置（２８２，２８３）と、
前記ペット状態情報に含まれる情報を利用して前記フィーダ装置を制御するフィーダ制御装置（２８１）と、
をさらに備える、請求項１から７のいずれかに記載のペット健康管理システム（１００）。
【請求項９】
画像情報を取得する画像情報取得部と前記画像情報を発信する画像情報発信部とを有する情報処理装置（５０）から発信される前記画像情報を映出可能である画像映出装置（２４）をさらに備える、請求項１または２に記載のペット健康管理システム（１００）。
【請求項１０】
音声情報を取得する音声情報取得部と前記音声情報を発信する音声情報発信部とを有する情報処理装置（５０）から発信される前記音声情報を出力可能である音声出力装置（２６）をさらに備える、請求項１、２、または９に記載のペット健康管理システム（１００）。
【請求項１１】
画像情報を取得する画像情報取得部（２５）と、前記画像情報を所定の情報処理装置（５０）に送信する画像情報送信部（２１３）とを有する画像取得装置（２１）をさらに備える、請求項１、２、９、または１０に記載のペット健康管理システム（１００）。
【請求項１２】
音声情報を取得する音声情報取得部（２７）と、前記音声情報を所定の情報処理装置（５０）に送信する音声情報送信部（２１３）とを有する音声取得装置（２１）をさらに備える、請求項１、２、９、１０、または１１に記載のペット健康管理システム（１００）。
【請求項１３】
空気調和装置（３１，３２）をさらに備え、
前記所定の情報処理装置（５０）は、前記空気調和装置を制御するための空調制御情報を前記空気調和装置に送信可能である、
請求項１１または１２に記載のペット健康管理システム（１００）。
【請求項１４】
前記ペットに餌または飲料を供給するためのフィーダ装置（２８）と、
所定の情報処理装置（５０）から前記フィーダ装置を制御するためのフィーダ制御情報を受信する制御情報受信装置（２１３）と、
をさらに備える、請求項１、２、９、１０、１１、１２、または１３に記載のペット健康管理システム（１００）。
【請求項１５】
生体を検知するための生体検知装置と、
前記生体検知装置において前記生体が検知された場合に、所定の情報を所定の情報処理装置に発信する情報発信装置と、
をさらに備える、請求項１、２、９、１０、１１、１２、１３、または１４に記載のペット健康管理システム。
【請求項１６】
音声を取得する音声取得装置と、
前記音声取得装置において取得された前記音声と特定の音声とが一致するか否かを判断する音声照合装置と、
前記音声照合装置において前記音声が前記特定の音声と一致すると判断された場合に、所定の情報を所定の情報処理装置に発信する情報発信装置と、
をさらに備える、請求項１、２、９、１０、１１、１２、１３、１４、または１５に記載のペット健康管理システム。
【請求項１７】
押しボタン装置（３０）と、
前記押しボタン装置が押された場合に、所定の情報を所定の情報処理装置（５０）に発信する情報発信装置（２１３）と、
をさらに備える、請求項１、２、９、１０、１１、１２、１３、１４、１５、または１６に記載のペット健康管理システム（１００）。
【発明の詳細な説明】
【技術分野】
【０００１】
本発明は、ペットの健康を管理するためのペット健康管理システムに関する。
【背景技術】
【０００２】
カメラ、振動センサ、およびマイクなどから収集される情報を利用してペットの異常などを監視するペットの遠隔監視制御システムが提案されている。このペットの遠隔監視制御システムでは、振動センサから得られる振動値およびマイクから得られる鳴き声の音量の少なくとも一方が所定の基準値以上になった場合にペットに異常が発生したと判断され、その旨を知らせるための情報が飼い主に報知される（例えば、特許文献１参照）。
【特許文献１】特開２００１−２７５５０９号公報
【発明の開示】
【発明が解決しようとする課題】
【０００３】
ところで、振動値および鳴き声の音量の情報は、ペットの気分などにも依存するため、必ずしもペットの異常とは直結しない。しかし、振動値および鳴き声の音量が基準値を超過したという事実は、飼い主にペットの画像情報を観察させるきっかけとはなり得る。ところが、一般の飼い主は専門知識に乏しいため、実際のところ、一般の飼い主が画像情報のみを頼りにペットに本当に異常が起こっているか否かを主観的に判断することは極めて難しい。このため、この遠隔監視制御システムでは、振動値および鳴き声の音量が基準値を超過しているが飼い主の主観的な観察ではペットに異常が発生しているとは思えないといった場合、飼い主は、不安を抱えたまま外出し続けるか、本当に異常が発生しているのか否か確証をもてずに不安のためだけに帰宅するかなどの選択を迫られることとなる。また、このような遠隔監視制御システムには、ペットが鳴けないほどぐったりしている場合であっても、ペットは正常な状態にあると判断されるという不具合がある。
【０００４】
本発明の課題は、ペットの異常を確実に検出することができるペット健康管理システムを提供することにある。
【課題を解決するための手段】
【０００５】
第１発明に係るペット健康管理システムは、ペットの健康を管理するためのペット健康管理システムであって、ペット状態情報取得装置およびペット健康判断装置を備える。ペット状態情報取得装置は、ペット状態情報を取得するための装置である。なお、ここにいう「ペット」とは、犬、猫、うさぎ、あるいはフィレットなどである。また、ここにいう「ペット状態情報」には、ペットの体温、心拍数、呼吸数、歩数、運動量、行動範囲、食事量、排便量、食事時間、水分補給量、水分補給時間、位置、および臭いの情報のうち少なくとも１つの情報が含まれる。また、ここにいう「ペット状態情報取得装置」とは、例えば、デジタル式の体温計、脈拍計、歩数計、重量センサ、位置センサ、あるいは臭気センサなどであり、ペットに接触して情報を取得するものであってもよいし非接触で情報を取得するものであってもよい。また、このペット状態情報取得装置は、ペットに直接取り付けられるかペットがいる家庭の宅内に設置される。ペット健康判断装置は、ペット状態情報に含まれる情報を利用してペットが健康な状態にあるか否かを判断する。なお、このペット健康判断装置は、ペットがいる家庭の遠方に設置されてもよいしその家庭に設置されてもよい。
【０００６】
このペット健康管理システムでは、ペット状態情報取得装置が、ペットの体温、心拍数、呼吸数、歩数、運動量、行動範囲、食事量、排便量、食事時間、水分補給量、水分補給時間、位置、および臭いの情報のうち少なくとも１つの情報が含まれるペット状態情報を取得するための装置である。そして、ペット健康判断装置が、ペット状態情報に含まれる情報を利用してペットが健康な状態にあるか否かを判断する。
【０００７】
ペットの体温、心拍数、呼吸数、歩数、運動量、行動範囲、食事量、排便量、食事時間、水分補給量、水分補給時間、位置、および臭いの情報は、ペットの健康状態をそのまま反映するといっても過言ではない。通常、ペットには個体差があるので、これらの情報に一律に基準値を設けてペットの健康状態を判断する訳にいかないが、そのことは個々のペットの通常時の情報を得ておくことによって解消される。また、獣医などの専門家の協力を得てこれらの情報の組合せによる判定ロジックなどを予め構築しておけば、確実にペットの健康状態を把握することができるはずである。このため、このペット健康管理システムでは、ペットの異常を確実に検出することができる。
【０００８】
第２発明に係るペット健康管理システムは、第１発明に係るペット健康管理システムであって、ペット状態情報保存装置およびペット状態情報表示装置をさらに備える。ペット健康情報保存装置およびペット状態情報表示装置は、場合によっては、ペット健康管理装置に内蔵されてもかまわない。ペット状態情報保存装置は、ペット状態情報に含まれる情報を保存する。ペット状態情報表示装置は、ペット状態情報に含まれる情報を表示する。
【０００９】
このペット健康管理システムでは、ペット状態情報保存装置が、ペット状態情報に含まれる情報を保存する。また、ペット状態情報表示装置が、ペット状態情報に含まれる情報を表示する。このため、このペット健康管理システムでは、ペット状態情報に含まれる情報の履歴をいつでも閲覧することが可能となる。したがって、このペット健康管理システムでは、長期的なペットの健康状態をも判断することができる。
【００１０】
第３発明に係るペット健康管理システムは、第１発明または第２発明に係るペット健康管理システムであって、情報送信装置をさらに備える。情報送信装置は、ペット健康判断装置においてペットが健康な状態にないと判断された場合に、所定の情報を所定の情報処理装置に送信する。なお、ここにいう「所定の情報処理装置」とは、例えば、Ｗｅｂサーバや飼い主の携帯端末などである。所定の情報処理装置がＷｅｂサーバである場合、飼い主は情報端末を携帯していなくてもインターネットカフェや会社、ホテルなどに設置される情報端末を用いて所定の情報を得ることができる。また、ここにいう「所定の情報」とは、例えば、ペットの健康状態が悪くなった旨を表す情報やペットの健康状態を示す情報などである。
【００１１】
このペット健康管理システムでは、情報送信装置が、ペット健康判断装置においてペットが健康な状態にないと判断された場合に、所定の情報を所定の情報処理装置に送信する。このため、このペット健康管理システムでは、ペットの飼い主が携帯端末を携帯して外出していれば、あるいは、外出時に飼い主が所定のＷｅｂサーバなどにアクセスできる環境にあれば、飼い主は、外出時であってもペットの安否を確認することができ、ペットの様態が悪ければ至急帰宅してそのペットを動物病院に連れて行ったり、ペットシッターなどの駆けつけサービスに連絡してそのペットをケアさせたりすることできる。
【００１２】
第４発明に係るペット健康管理システムは、第３発明に係るペット健康管理システムであって、画像情報取得装置をさらに備える。画像情報取得装置は、画像情報を取得する。所定の情報は、画像情報取得装置によって取得された画像情報である。なお、ここにいう「画像」は、静止画像であってもよいし動画像であってもよい。
このペット健康管理システムでは、画像情報取得装置が、画像情報を取得する。また、所定の情報が、画像情報取得装置によって取得された画像情報である。このため、このペット健康管理システムでは、飼い主が自分の目でペットの様子を見ながらペットの体調を確認することもできる。
【００１３】
第５発明に係るペット健康管理システムは、第３発明または第４発明に係るペット健康管理システムであって、空気調和装置をさらに備える。なお、ここにいう「空気調和装置」とは、例えば、エアコン、除湿器、加湿機、あるいは空気清浄機などである。所定の情報処理装置は、空気調和装置を制御するための空調制御情報を空気調和装置に送信可能である。
【００１４】
このペット健康管理システムでは、所定の情報処理装置が、空気調和装置を制御するための空調制御情報を空気調和装置に送信可能である。このため、このペット健康管理システムでは、飼い主は、外出中であってもペットの様態を観察しながらペットに適した空調空間を作り出すことができる。したがって、このペット健康管理システムは、ペットの健康管理にも貢献することができる。
【００１５】
第６発明に係るペット健康管理システムは、第１発明から第４発明のいずれかに係るペット健康管理システムであって、空気調和装置および空調制御装置をさらに備える。なお、ここにいう「空気調和装置」とは、例えば、エアコン、除湿器、加湿機、あるいは空気清浄機などである。空調制御装置は、ペット状態情報に含まれる情報を利用して空気調和装置を制御する。
【００１６】
このペット健康管理システムでは、空調制御装置が、ペット状態情報に含まれる情報を利用して空気調和装置を制御する。このため、このペット健康管理システムでは、飼い主が外出中であっても、空調制御装置がペットに適した空調空間を作り出してくれる。したがって、このペット健康管理システムは、ペットの健康維持などにも貢献することができる。
【００１７】
第７発明に係るペット健康管理システムは、第５発明または第６発明に係るペット健康管理システムであって、空気調和装置は、香り成分およびエッセンシャルオイルの少なくとも一方を放出する香り等放出部を有する。空調制御装置は、香り等放出部を制御可能である。
このペット健康管理システムでは、空気調和装置が、香り成分およびエッセンシャルオイルの少なくとも一方を放出する香り等放出部を有する。そして、空調制御装置が、香り等放出部を制御可能である。このため、このペット健康管理システムでは、予めペットの好む香りなどを調べておき、その香りの成分やエッセンシャルオイルなどを香り等放出部に充填しておけば、ペットの体調や機嫌が悪い場合においてその悪化の度合いを下げる効果などを期待することができる。
【００１８】
第８発明に係るペット健康管理システムは、第１発明から第７発明のいずれかに係るペット健康管理システムであって、フィーダ装置およびフィーダ制御装置をさらに備える。フィーダ装置は、ペットに餌または飲料を供給するための装置である。フィーダ制御装置は、ペット状態情報に含まれる情報を利用してフィーダ装置を制御する。
このペット健康管理システムでは、フィーダ制御装置が、ペット状態情報に含まれる情報を利用してフィーダ装置を制御する。このため、このペット健康管理システムでは、ペットの健康状態に応じて与える餌や飲料の種類、量、あるいはフィード時間などを制御することができる。したがって、このペット健康管理システムは、ペットの健康維持などにも貢献することができる。
【００１９】
第９発明に係るペット健康管理システムは、第１発明または第２発明に係るペット健康管理システムであって、画像映出装置をさらに備える。画像映出装置は、情報処理装置から発信される画像情報を映出可能である。なお、この情報処理装置には、画像情報を取得する画像情報取得部および画像情報を発信する画像情報発信部が設けられている。また、ここにいう「画像」は、静止画像であってもよいし動画像であってもよい。また、音声情報を加えるとさらに効果的である。
【００２０】
このペット健康管理システムでは、画像映出装置が、情報処理装置から発信される画像情報を映出可能である。このため、このペット健康管理システムでは、飼い主は、いつでもペットに自身の映像を見せることができペットを安心させることができる。
第１０発明に係るペット健康管理システムは、第１発明、第２発明、または第９発明に係るペット健康管理システムであって、音声出力装置をさらに備える。音声出力装置は、情報処理装置から発信される音声情報を出力可能である。なお、この情報処理装置には、音声情報を取得する音声情報取得部および音声情報を発信する音声情報発信部が設けられている。また、飼い主の画像情報を入れるとさらに効果的である。
【００２１】
このペット健康管理システムでは、音声出力装置が、情報処理装置から発信される音声情報を出力可能である。このため、このペット健康管理システムでは、飼い主は、いつでもペットに話しかけることができペットを安心させることができる。
第１１発明に係るペット健康管理システムは、第１発明、第２発明、第９発明、または第１０発明に係るペット健康管理システムであって、画像取得装置をさらに備える。画像取得装置は、画像情報取得部および画像情報送信部を有する。画像情報取得部は、画像情報を取得する。画像情報送信部は、画像情報を所定の情報処理装置に送信する。なお、ここにいう「所定の情報処理装置」とは、例えば、Ｗｅｂサーバや飼い主の携帯端末などである。所定の情報処理装置がＷｅｂサーバである場合、飼い主は情報端末を携帯していなくてもインターネットカフェや会社、ホテルなどに設置される情報端末を用いて画像情報を得ることができる。
【００２２】
このペット健康管理システムでは、画像情報取得部が、画像情報を取得する。そして、画像情報送信部が、画像情報を所定の情報処理装置に送信する。このため、このペット健康管理システムでは、飼い主が画像情報を映出できる情報処理装置を所持している場合、または飼い主がＷｅｂサーバなどにアクセスできる環境にある場合、飼い主は、いつでもペットの様子を確認することができる。
【００２３】
第１２発明に係るペット健康管理システムは、第１発明、第２発明、第９発明、第１０発明、または第１１発明に係るペット健康管理システムであって、音声取得装置をさらに備える。音声取得装置は、音声情報取得部および音声情報送信部を有する。音声情報取得部は、音声情報を取得する。音声情報送信部は、音声情報を所定の情報処理装置に送信する。なお、ここにいう「所定の情報処理装置」とは、例えば、Ｗｅｂサーバや飼い主の携帯端末などである。所定の情報処理装置がＷｅｂサーバである場合、飼い主は情報端末を携帯していなくてもインターネットカフェや会社、ホテルなどに設置される情報端末を用いて音声情報を得ることができる。
【００２４】
このペット健康管理システムでは、音声情報取得部が、音声情報を取得する。そして、音声情報送信部が、音声情報を所定の情報処理装置に送信する。このため、このペット健康管理システムでは、飼い主が音声情報を出力できる情報処理装置を所持している場合、または飼い主がＷｅｂサーバなどにアクセスできる環境にある場合、飼い主は、いつでもペットの鳴き声などを聴くことができペットの体調などを確認することができる。
【００２５】
第１３発明に係るペット健康管理システムは、第１１発明または第１２発明に係るペット健康管理システムであって、空気調和装置をさらに備える。所定の情報処理装置は、空気調和装置を制御するための空調制御情報を空気調和装置に送信可能である。
このペット健康管理システムでは、所定の情報処理装置が、空気調和装置を制御するための空調制御情報を空気調和装置に送信可能である。このため、このペット健康管理システムでは、飼い主は、外出中であってもペットの様態を観察しながらペットに適した空調空間を作り出すことができる。したがって、このペット健康管理システムは、ペットの健康管理にも貢献することができる。
【００２６】
第１４発明に係るペット健康管理システムは、第１発明、第２発明、第９発明、第１０発明、第１１発明、第１２発明、または第１３発明に係るペット健康管理システムであって、フィーダ装置および制御情報受信装置をさらに備える。フィーダ装置は、ペットに餌または飲料を供給するための装置である。制御情報受信装置は、所定の情報処理装置からフィーダ装置を制御するためのフィーダ制御情報を受信する。なお、ここにいう「所定の情報処理装置」とは、例えば、Ｗｅｂサーバや飼い主の携帯端末などである。所定の情報処理装置がＷｅｂサーバである場合、飼い主は情報端末を携帯していなくてもインターネットカフェや会社、ホテルなどに設置される情報端末を用いてフィーダ装置を制御することができる。
【００２７】
このペット健康管理システムでは、制御情報受信装置が、所定の情報処理装置からフィーダ装置を制御するためのフィーダ制御情報を受信する。このため、このペット健康管理システムでは、ペットの健康状態に応じて与える餌や飲料の種類、量、あるいはフィード時間などを制御することができる。したがって、このペット健康管理システムは、ペットの健康維持などにも貢献することができる。
【００２８】
第１５発明に係るペット健康管理システムは、第１発明、第２発明、第９発明、第１０発明、第１１発明、第１２発明、第１３発明、または第１４発明に係るペット健康管理システムであって、生体検知装置および情報発信装置をさらに備える。なお、ここにいう生体検知装置とは、例えば、生体検知センサ、サーモセンサ、重量センサ、およびＲＦＩＤタグなどである。生体検知装置は、生体を検知するための装置である。情報発信装置は、生体検知装置において生体が検知された場合に、所定の情報を所定の情報処理装置に発信する。なお、ここにいう「所定の情報処理装置」とは、例えば、Ｗｅｂサーバや飼い主の携帯端末などである。情報処理装置がＷｅｂサーバである場合、飼い主は情報端末を携帯していなくてもインターネットカフェや会社、ホテルなどに設置される情報端末を用いて所定の情報を得ることができる。また、ここにいう「所定の情報」とは、例えば、検知時のペットの画像情報、検知時のペットの音声情報、あるいはペット状態情報から推測されるペットの体調や気分を表す擬人化メッセージの情報などである。
【００２９】
このペット健康管理システムでは、情報発信装置が、生体検知装置において生体が検知された場合に、所定の情報を所定の情報処理装置に発信する。このため、このペット健康管理システムでは、飼い主は、ペットが生体検知装置に検知される度にペットから電子メールなどをもらっているという感覚を楽しむことができる。また、飼い主が電子メールなどを受け取る度に、第９発明や第１０発明のようにペットに飼い主自身の姿を見せたり飼い主自身の声を聴かせたりするようにすれば、ペットも自然と生体検知装置の付近に来れば「飼い主と会うことができる」、「飼い主の声を聞くことができる」ことがわかり、ペットも自己の意思で飼い主とのコンタクトを図ろうとする可能性がある。したがって、このペット健康管理システムは、飼い主とペットとのコミュニケーションを良好なものとするのに貢献することができる。
【００３０】
第１６発明に係るペット健康管理システムは、第１発明、第２発明、第９発明、第１０発明、第１１発明、第１２発明、第１３発明、第１４発明、または第１５発明に係るペット健康管理システムであって、音声取得装置、音声照合装置、および情報発信装置をさらに備える。音声取得装置は、音声を取得する。音声照合装置は、音声取得装置において取得された音声と特定の音声とが一致するか否かを判断する。なお、音声の照合は、例えば、声紋の照合などにより行われる。情報発信装置は、音声照合装置において音声が特定の音声と一致すると判断された場合に、所定の情報を所定の情報処理装置に発信する。なお、ここにいう「所定の情報処理装置」とは、例えば、Ｗｅｂサーバや飼い主の携帯端末などである。情報処理装置がＷｅｂサーバである場合、飼い主は情報端末を携帯していなくてもインターネットカフェや会社、ホテルなどに設置される情報端末を用いて所定の情報を得ることができる。また、ここにいう「所定の情報」とは、例えば、検知時のペットの画像情報、検知時のペットの音声情報、あるいはペット状態情報から推測されるペットの体調や気分を表す擬人化メッセージの情報などである。
【００３１】
このペット健康管理システムでは、音声取得装置が、音声を取得する。続いて、音声照合装置が、音声取得装置において取得された音声と特定の音声とが一致するか否かを判断する。そして、情報発信装置が、音声照合装置において音声が特定の音声と一致すると判断された場合に、所定の情報を所定の情報処理装置に発信する。このため、このペット健康管理システムでは、例えば、ペットが激しく吠えている場合やペットが切なそうな鳴き声を発している場合などに飼い主がその旨を知らせる電子メールなどを受け取ることができる。ペットが激しく吠えている場合は、通常、不審者などがいる場合が多い。したがって、このペット健康管理システムは、防犯などにも貢献することができる。ペットが切なそうな鳴き声を発している場合は、寂しがっていたり体調がよくなかったりする場合が多い。したがって、このペット健康管理システムでは、飼い主は、外出中であってもペットの心境などを察することができる。
【００３２】
第１７発明に係るペット健康管理システムは、第１発明、第２発明、第９発明、第１０発明、第１１発明、第１２発明、第１３発明、第１４発明、第１５発明、または第１６発明に係るペット健康管理システムであって、押しボタン装置および情報発信装置をさらに備える。情報発信装置は、押しボタン装置が押された場合に、所定の情報を所定の情報処理装置に発信する。なお、ここにいう「所定の情報処理装置」とは、例えば、Ｗｅｂサーバや飼い主の携帯端末などである。情報処理装置がＷｅｂサーバである場合、飼い主は情報端末を携帯していなくてもインターネットカフェや会社、ホテルなどに設置される情報端末を用いて所定の情報を得ることができる。また、ここにいう「所定の情報」とは、例えば、検知時のペットの画像情報、検知時のペットの音声情報、あるいはペット状態情報から推測されるペットの体調や気分を表す擬人化メッセージの情報などである。
【００３３】
このペット健康管理システムでは、情報発信装置が、押しボタン装置が押された場合に、所定の情報を所定の情報処理装置に発信する。このため、このペット健康管理システムでは、飼い主がペットに対して『押しボタンを押せば第９発明や第１０発明のように「飼い主に会うことができる」、「飼い主の声を聴くことができる」』と教え込ませることができれば、飼い主は、ペットから電子メールなどをもらっているという感覚を楽しむことができる。したがって、このペット健康管理システムは、飼い主とペットとのコミュニケーションを良好なものとするのに貢献することができる。
【発明の効果】
【００３４】
第１発明に係るペット健康管理システムでは、ペットの異常を確実に検出することができる。
第２発明に係るペット健康管理システムでは、ペット状態情報に含まれる情報の履歴をいつでも閲覧することが可能となる。したがって、このペット健康管理システムでは、長期的なペットの健康状態をも判断することができる。
【００３５】
第３発明に係るペット健康管理システムでは、ペットの飼い主が携帯端末を携帯して外出していれば、あるいは、外出時に飼い主が所定のＷｅｂサーバなどにアクセスできる環境にあれば、飼い主は、外出時であってもペットの安否を確認することができ、ペットの様態が悪ければ飼い主は至急帰宅してそのペットを動物病院に連れて行ったり、ペットシッターなどの駆けつけサービスに連絡してそのペットをケアさせたりすることできる。
【００３６】
第４発明に係るペット健康管理システムでは、飼い主が自分の目でペットの様子を見ながらペットの体調を確認することもできる。
第５発明に係るペット健康管理システムでは、飼い主は、外出中であってもペットの様態を観察しながらペットに適した空調空間を作り出すことができる。したがって、このペット健康管理システムは、ペットの健康管理にも貢献することができる。
【００３７】
第６発明に係るペット健康管理システムでは、飼い主が外出中であっても、空調制御装置がペットに適した空調空間を作り出してくれる。したがって、このペット健康管理システムは、ペットの健康維持などにも貢献することができる。
第７発明に係るペット健康管理システムでは、予めペットの好む香りなどを調べておき、その香りの成分やエッセンシャルオイルなどを香り等放出部に充填しておけば、ペットの体調が悪い場合においてその悪化の度合いを下げる効果などを期待することができる。
【００３８】
第８発明に係るペット健康管理システムでは、ペットの健康状態に応じて与える餌や飲料の種類、量、あるいはフィード時間などを制御することができる。したがって、このペット健康管理システムは、ペットの健康維持などにも貢献することができる。
第９発明に係るペット健康管理システムでは、飼い主は、いつでもペットに自身の映像を見せることができペットを安心させることができる。
【００３９】
第１０発明に係るペット健康管理システムでは、飼い主は、いつでもペットに話しかけることができペットを安心させることができる。
第１１発明に係るペット健康管理システムでは、飼い主が画像情報を映出できる情報処理装置を所持している場合、または飼い主がＷｅｂサーバなどにアクセスできる環境にある場合、飼い主は、いつでもペットの様子を確認することができる。
【００４０】
第１２発明に係るペット健康管理システムでは、飼い主が音声情報を出力できる情報処理装置を所持している場合、または飼い主がＷｅｂサーバなどにアクセスできる環境にある場合、飼い主は、いつでもペットの鳴き声などを聴くことができペットの体調などを確認することができる。
第１３発明に係るペット健康管理システムでは、飼い主は、外出中であってもペットの様態を観察しながらペットに適した空調空間を作り出すことができる。したがって、このペット健康管理システムは、ペットの健康管理にも貢献することができる。
【００４１】
第１４発明に係るペット健康管理システムでは、ペットの健康状態に応じて与える餌や飲料の種類、量、あるいはフィード時間などを制御することができる。したがって、このペット健康管理システムは、ペットの健康維持などにも貢献することができる。
第１５発明に係るペット健康管理システムでは、飼い主は、ペットが生体検知装置に検知される度にペットから電子メールなどをもらっているという感覚を楽しむことができる。
【００４２】
第１６発明に係るペット健康管理システムでは、例えば、ペットが激しく吠えている場合やペットが切なそうな鳴き声を発している場合などに飼い主がその旨の電子メールなどを受け取ることができる。ペットが激しく吠えている場合は、通常、不審者などがいる場合が多い。したがって、このペット健康管理システムは、防犯などにも貢献することができる。ペットが切なそうな鳴き声を発している場合は、寂しがっていたり体調がよくなかったりする場合が多い。したがって、このペット健康管理システムでは、飼い主は、外出中であってもペットの心境などを察することができる。
【００４３】
第１７発明に係るペット健康管理システムでは、飼い主がペットに対して『押しボタンを押せば第９発明や第１０発明のように「飼い主に会うことができる」、「飼い主の声を聴くことができる」』と教え込ませることができれば、飼い主は、ペットから電子メールなどをもらっているという感覚を楽しむことができる。したがって、このペット健康管理システムは、飼い主とペットとのコミュニケーションを良好なものとするのに貢献することができる。
【発明を実施するための最良の形態】
【００４４】
本発明の一実施形態に係るペット健康管理システムを、図１から図６を用いて以下に説明する。
［ペット健康管理システムの構成］
ペット健康管理システム１００は、図１に示されるように、主に、管理サーバ１１、管理者端末１２、ホームサーバ２１、空調コントローラ２２、ゲートセンサ２３、モニタ２４、Ｗｅｂカメラ２５、スピーカ２６、マイク２７、フィーダ装置２８、体重計２９、押しボタンスイッチ３０、エアコン３１、空気清浄機３２、およびペット管理センサ４１から構成される。なお、管理サーバ１１および管理者端末１２は、ペット健康管理センター１０に配備される。また、ホームサーバ２１、空調コントローラ２２、ゲートセンサ２３、モニタ２４、Ｗｅｂカメラ２５、スピーカ２６、マイク２７、フィーダ装置２８、体重計２９、押しボタンスイッチ３０、エアコン３１、および空気清浄機３２は、ペット健康管理センター１０を運用する事業者とペット健康管理サービスの契約を締結している顧客の家庭２０に配備されている。また、ペット管理センサ４１は、ペット健康管理センター１０を運用する事業者から顧客に貸与されており、顧客によってペットの首周りや後ろ足内股などに所定の方法により取り付けられる。
【００４５】
［ペット健康管理システムの構成要素］
（１）ペット管理センサ
ペット管理センサ４１には、図示しないデジタル式の体温計、心拍計、呼吸数計、歩数計、ＲＦＩＤタグ、および臭気センサが内蔵されている。なお、体温計、脈拍計、および呼吸数計の検知部分は、外部に露出しており、ペット４０に接触するようになっている。また、このペット管理センサ４１には、図示しない情報送信部が備えられており、体温計、脈拍計、呼吸数計、歩数計、および臭気センサにより収集されるペット４０の状態情報を計測時刻情報とともに定期的に空調コントローラ２２に無線送信している。また、ＲＦＩＤタグには、ペットを識別するためのＩＤ情報が記憶されている。
【００４６】
（２）エアコン
エアコン３１は、室内の空気をケーシング内に取り込み、熱交換器において空気に含まれる熱と熱交換器に流れる冷媒に含まれる熱とを交換させることによって空気を冷却あるいは加熱した後に、その空気を室内に吹き出すことにより室内の冷房または暖房を行う機器である。また、このエアコン３１は、除湿運転を行うことも可能である。また、このエアコン３１は、加湿ユニットを備えており、加湿運転を行うことも可能である。
【００４７】
（３）空気清浄機
空気清浄機３２は、室内の空気をケーシング内に取り込み、空気中に浮遊する塵埃などをエアフィルタにより捕集して空気を清浄化した後に、その清浄化された空気を室内に吹き出すことにより室内の空気の清浄化を行う機器である。
（４）空調コントローラ
空調コントローラ２２は、図２に示されるように、無線受信部２２１、制御指令生成部２２２、リモコン信号発信部２２３、およびホームサーバ接続ポート２２４を備える。無線受信部２２１は、ペット管理センサ４１から定期的に送信されるペット４０の状態情報および計測時刻情報、ならびにエアコン３１から定期的に送信される室温情報および湿度情報などを受信する。制御指令生成部２２２は、ペット４０の状態情報、室温情報、および湿度情報を利用してエアコン３１および空気清浄機３２を最適制御するための制御パラメータや制御指令などを生成する。リモコン信号発信部２２３は、制御指令生成部２２２において生成された制御パラメータや制御指令などをエアコン３１および空気清浄機３２に発信する。ホームサーバ接続ポート２２４は、ホームサーバ２１を接続するためのポートであって、無線受信部２２１において受信されるペット４０の状態情報をホームサーバ２１に転送する。また、このホームサーバ接続ポート２２４は、携帯電話５０からインターネット回線６０およびホームサーバ２１を介して送信されてくる制御パラメータや制御指令などをリモコン信号発信部２２３に転送する役目も担う（つまり、携帯電話５０によりエアコン３１および空気清浄機３２を遠隔制御することができるようになっている。）
（５）ゲートセンサ
ゲートセンサ２３は、家庭２０に複数箇所設けられる。複数のゲートセンサ２３は、すべてホームサーバ２１に通信接続される。そして、これらのゲートセンサ２３は、ペット４０が通過すると、ペット管理センサ４１に備えられているＲＦＩＤタグからＩＤ情報を取得し、そのＩＤ情報をホームサーバ２１へと送信する。ゲートセンサ２３にはＩＰアドレスが付与されているので、ホームサーバ２１はそのＩＤ情報がどのゲートセンサ２３から送信されたものなのかを認識することができ、ペット４０の居場所、通過経路、行動範囲、および運動量を割り出すことができる。
【００４８】
（６）モニタ
モニタ２４は、飼い主が所有するカメラ付き携帯電話５０から送信される画像情報を表示するために配備される。また、このモニタ２４は、ホームサーバ２１に保持されている第１ペット健康管理データベース（後述）やミニ知識データベース２１４ｄ（後述）の内容を映し出すことができるようになっている。
【００４９】
（７）Ｗｅｂカメラ
Ｗｅｂカメラ２５は、モニタ２４および押しボタンスイッチ３０の近傍に配備されており、押しボタンスイッチ３０が押されることによって予め決められた撮影範囲を撮影するように設定されている。また、このＷｅｂカメラ２５は、飼い主の携帯電話５０からホームサーバ２１を介して遠隔制御されるように設定されており、携帯電話５０から制御指令を受信すると、自動的に首を振りながら撮影を開始し、リアルタイムで携帯電話５０にその映像を送信する。
【００５０】
（８）スピーカ
スピーカ２６は、モニタ２４の近傍に配備されており、飼い主が所有するカメラ付き携帯電話５０からの通話を出力する。
（９）マイク
マイク２７は、モニタ２４および押しボタンスイッチ３０の近傍に配備されており、周囲の音声を収集する。なお、このマイク２７は、図１に示されるように、ホームサーバ２１に通信接続されている。
【００５１】
（１０）フィーダ装置
フィーダ装置２８は、図３に示されるように、ホームサーバ接続ポート２８４、制御指令生成部２８１、餌供給部２８２、水供給部２８３、第１管理用重量センサ２８５、および第２管理用重量センサ２８６を備える。ホームサーバ接続ポート２８４は、ホームサーバ２１を接続するためのポートであって、ホームサーバ２１に蓄積されるペット４０の状態情報を定期的に受信する。また、このホームサーバ接続ポート２８４は、第１管理用重量センサ２８５および第２管理用重量センサ２８６から発信される重量情報を受信して計測時刻情報とともにホームサーバ２１へと転送する役目も担う。また、このホームサーバ接続ポート２８４は、携帯電話５０からインターネット回線６０およびホームサーバ２１を介して送信されてくる制御パラメータや制御指令などを餌供給部２８２および水供給部２８３に転送する役目も担う（つまり、携帯電話５０によりフィーダ装置２８を遠隔制御することができるようになっている）。制御指令生成部２８１は、ペット４０の状態情報を利用して餌供給部２８２および水供給部２８３を制御するための制御パラメータや制御指令など（例えば、餌の種類、餌の供給量、餌の供給時間、水の供給量、および水の供給時間など）を生成する。餌供給部２８２は、図示しない餌タンク、第１供給用重量センサ、および第１タイマーを備えており、制御指令生成部２８１において生成された制御パラメータや制御指令などに従って餌を餌タンクから餌場へと放出する。第１管理用重量センサ２８５は、餌場にある餌の重量を計測するためのセンサであって、ホームサーバ２１においてペット４０が食した餌の量などを求めたり食事時刻の履歴情報を蓄積したりするために配備されている。水供給部２８３は、図示しない水タンク、第２供給用重量センサ、および第２タイマーを備えており、制御指令生成部２８１において精製された制御パラメータや制御指令に従って水を水タンクから水場へと放出する。第２管理用重量センサ２８６は、水場にある水の重量を計測するためのセンサであって、ホームサーバ２１においてペット４０が飲んだ水の量などを求めたり水分補給時刻の履歴情報を蓄積したりするために配備されている。
【００５２】
（１１）体重計
体重計２９は、ペット４０の体重を計測するためにペット４０の寝床などに設置されている。なお、この体重計２９は、図１に示されるように、ホームサーバ２１に通信接続されており、計測時刻情報とともに計測重量情報をホームサーバ２１へ定期的に送信する。
（１２）押しボタンスイッチ
押しボタンスイッチ３０は、モニタ２４、Ｗｅｂカメラ２５、スピーカ２６、およびマイク２７の近傍に、ペット４０に押させることを目的として配備されている。押しボタンスイッチ３０が押されると、Ｗｅｂカメラ２５が作動し画像情報を生成する。Ｗｅｂカメラ２５において生成した画像情報は、ホームサーバ２１の電子メールアプリケーション（後述）により作成された電子メールとともに飼い主のカメラ付き携帯電話５０に送信される。
【００５３】
（１３）ホームサーバ
ホームサーバは、図４に示されるように、中央処理演算装置２１１、メインメモリ２１２、モデム２１３、ネットワーク接続ポート２１５、およびハードディスク２１４を備える。
ネットワーク接続ポート２１５は、各機器２２〜３０を通信接続するためのポートであって、各機器２２〜３０から所定の情報を受信する。また、このネットワーク接続ポート２１５は、携帯電話５０から送信される制御パラメータや制御指令などを空調コントローラ２２やフィーダ装置２８に送信する役目も担う。
【００５４】
モデム２１３は、ハードディスク２１４の第１ペット健康管理データベース２１４ｂ（後述）に保持されるペット４０の状態情報、室温情報および湿度情報、ならびに重量センサ値情報などをペット健康管理センター１０の管理サーバ１１に定期的に送信する。また、このモデム２１３は、管理サーバ１１に構築されるＷｅｂサーバ（後述）にアクセスするためにも用いられる。また、このモデムは、飼い主の携帯電話５０から送信される各種情報（制御パラメータや制御指令など）を受信する役目も担う。
【００５５】
ハードディスク２１４には、第１ペット健康管理データベース２１４ｂ、ミニ知識データベース２１４ｄ、電子メールアプリケーション２１４ａ、およびメッセージデータベース２１４ｃが保持されている。第１ペット健康管理データベース２１４ｂには、ペット管理センサ４１から得られるペット４０の状態情報、エアコン３１から得られる室温情報および湿度情報、ならびにフィーダ装置２８および体重計２９から得られる重量センサ値情報などが順次登録されるように設定されている。なお、フィーダ装置２８から得られる重量センサ値情報については、時系列的に差分が計算された後にその差分値も登録されるように設定されている（つまり、食事量や水分補給量を算出することになる）。ミニ知識データベース２１４ｄには、飼われているペット４０固有の特性が加味された情報が登録されている。メッセージデータベース２１４ｃには、図５に示されるようなメッセージ管理テーブルＴＬが保持されている。このメッセージ管理テーブルＴＬでは、ペット４０の状態情報、室温情報および湿度情報、ならびに重量センサ値情報などの情報ごとに閾値が設けられ、その閾値ごとにメッセージが登録されている。電子メールアプリケーション２１４ａは、ペット４０の状態情報、室温情報および湿度情報、ならびに重量センサ値情報などをメッセージ管理テーブルＴＬに照合し、対応するメッセージを所定の規則に従って並べて電子メールを作成する。
【００５６】
メインメモリ２１２は、ハードディスク２１４から電子メールアプリケーション２１４ａに記述される命令や必要なデータを読み出し、一時記憶する。
中央処理演算装置２１１は、メインメモリ２１２に一時記憶される命令を実行する。
（１４）管理サーバ
管理サーバ１１は、図６に示されるように、中央処理演算装置１１１、メインメモリ１１２、モデム１１３、ネットワーク接続ポート１１５、およびハードディスク１１４を備える。
【００５７】
ネットワーク接続ポート１１５は、管理者端末１２を通信接続するためのポートであって、管理者端末１２からの要求に応じて所定の情報を管理者端末１２へ送信する。
モデム１１３は、ホームサーバ２１から送信されるペット４０の状態情報、室温情報および湿度情報、ならびに重量センサ値情報などの情報群を受信する。また、このモデム１１３は、必要に応じて飼い主の携帯電話５０に電子メールを送信する。
【００５８】
ハードディスク１１４には、第２ペット健康管理データベース１１４ｃ、ペット健康知識データベース１１４ｄ、ペット健康管理アプリケーション１１４ａ、およびＷｅｂサーバ１１４ｂが保持されている。第２ペット健康管理データベース１１４ｃには、契約者（ペットの飼い主）の氏名、年齢、性別、住所、およびペット４０の保有年数、ならびにペット４０の名、種類、年齢、性別、体重、体長、予防接種の予定時期、定期検診の予定時期、平常時の心拍数、呼吸数、歩数、運動量、行動範囲、食事量、排便量、食事時間、水分補給量、水分補給時間、および体臭レベルなどが予め登録されている。また、この第２ペット健康管理データベース１１４ｃには、ホームサーバ２１からインターネット回線６０を介して定期的に送信されてくるペット４０の状態情報、室温情報および湿度情報、ならびに重量センサ値情報などの情報群が順次登録されるように設定されている。ペット健康知識データベース１１４ｄには、ペット別の健康知識が登録されている。なお、健康知識とは、例えば、犬の平常時の体温は３８〜３８．５℃、犬の平常時の心拍数は１５〜３０回／分、猫の平常時の体温は３７．５〜３８．５℃、猫の平常時の心拍数は１５〜３０回／分などの情報を意味する。ペット健康管理アプリケーション１１４ａは、第２ペット健康管理データベース１１４ｃおよびペット健康知識データベース１１４ｄに登録されている各種情報を利用してペット４０が健康であるか否かを定期的に判定している。そして、このペット健康管理アプリケーション１１４ａにおいてペット４０が異常な状態にあると判定された場合、ペット健康管理アプリケーション１１４ａは、飼い主の携帯電話５０にその旨を知らせる電子メールを配信する。なお、主な判定方法としては、ホームサーバ２１から送信されてくるペット４０の状態情報などが平常時の範囲から逸脱したか否かを判定する方法や獣医などの専門家の協力を得て作成した判定ロジックに基づいて判定する方法などが挙げられる。また、このペット健康管理アプリケーション１１４ａは、カレンダー機能を有しており、ペット４０の予防接種の時期や定期検診の時期の１週間前に飼い主の携帯電話５０あるいは情報端末などに予防接種あるいは定期検診のお知らせの電子メールを送信する。Ｗｅｂサーバ１１４ｂにはＷｅｂページが開設されており、そのＷｅｂページには主に、獣医情報、ペットホテル情報、ペット４０の健康知識、予防接種や定期検診などの案内情報、ペットに安全な商品のカタログ情報などが掲載されており、契約者はその安全商品をネット購入することができるようになっている。なお、ペットに安全な商品を購入した飼い主には、ポイントが提供される。飼い主は、そのポイントを貯めて、次の商品購入時の割引や特典サービスに利用することができる。
【００５９】
メインメモリ１１２は、ハードディスク１１４からペット健康管理アプリケーション１１４ａおよびＷｅｂサーバ１１４ｂに記述される命令や必要なデータを読み出し、一時記憶する。
中央処理演算装置１１１は、メインメモリ１１２に一時記憶される命令を実行する。
（１５）管理者端末
管理者端末１２は、管理サーバ１１にネットワーク接続されており、管理サーバ１１に記憶される各種情報をいつでも表示することができる。管理者端末１２は、主に、ペット健康管理センター１０の管理者によって操作される。管理者は、主に、第２ペット健康管理データベース１１４ｃに登録される各種情報のうち異常な情報を監視しており、場合によっては飼い主に連絡してペット４０を獣医に連れて行くように指示したりペットシッターなどを手配したりするなどの業務を行っている。また、このペット健康管理センター１０の運用事業者は特定の獣医やペットホテル事業者などと業務提携しており、飼い主がその獣医やペットホテルなどを選択しておくと、その獣医やペットホテル事業者は診察時あるいはホテル利用時に管理サーバ１１から第２ペット健康管理データベース１１４ｃおよびペット健康知識データベース１１４ｄの内容をダウンロードできるようになっている。
【００６０】
［ペット健康管理システムの特徴］
（１）
本実施の形態に係るペット健康管理システム１００では、ペット管理センサ４１が、ペット４０の首周りや後ろ足内股などに取り付けられており、ペット４０の体温、心拍数、呼吸数、歩数、および臭いの情報を定期的に取得する。また、このペット健康管理システム１００では、ペット管理センサ４１に内蔵されるＲＦＩＤタグと家庭２０内に配備されるゲートセンサ２３との組合せによってペット４０の位置、運動量、および行動範囲などの情報が割り出される。また、このペット健康管理システム１００では、フィーダ装置２８に設けられている第１管理用重量センサ２８５および第１管理用重量センサ２８６によって取得される重量センサ値情報からペット４０の食事量、排便量、食事時間、水分補給量、および水分補給時間などの情報が生成される。また、体重計２９がペット４０の体重情報を取得する。そして、これらの情報は、管理サーバ１１に定期的に送信される。管理サーバ１１では、ペット健康管理アプリケーション１１４ａによりそれらの情報が平常時の範囲内にあるか、あるいはその個体特有の範囲内にあるかなどが判定されることによってペット４０に異常が発生していないか否かが判定される。このため、このペット健康管理システム１００では、ペット４０の異常を確実に検出することができる。
【００６１】
（２）
本実施の形態に係るペット健康管理システム１００では、ホームサーバ２１においてペットの体温、心拍数、呼吸数、歩数、臭い、体重、位置、運動量、行動範囲、食事量、排便量、食事時間、水分補給量、および水分補給時間などの情報が第１ペット健康管理データベース２１４ｂに登録される。また、これらの情報は、モニタ２４において閲覧可能である。このため、このペット健康管理システム１００では、飼い主は自分自身でペット４０の長期的な健康状態を判断することができる。
【００６２】
（３）
本実施の形態に係るペット健康管理システム１００では、管理サーバ１１にインストールされるペット健康管理アプリケーション１１４ａによってペット４０が健康な状態にないと判断された場合に、その旨を伝える電子メールが飼い主の携帯電話５０に送信される。このため、このペット健康管理システム１００では、飼い主は、外出時であってもペット４０の不調を知ることができ、至急帰宅してそのペット４０を動物病院に連れて行ったり、ペットシッターなどの駆けつけサービスに連絡してそのペット４０をケアさせたりすることできる。
【００６３】
（４）
本実施の形態に係るペット健康管理システム１００では、携帯電話５０からＷｅｂカメラ２５を介してリアルタイムにペット４０の様子を監視することができる。このため、このペット健康管理システム１００では、飼い主は、自分の目でペットの様子を見ながらペット４０の体調を確認することもできる。また、このペット健康管理システム１００では、携帯電話５０によってエアコン３１および空気清浄機３２を遠隔制御することができる。このため、このペット健康管理システム１００では、飼い主は、外出中であってもペット４０の様態を観察しながらペット４０に適した空調空間を作り出すことができる。したがって、このペット健康管理システム１００は、ペット４０の健康管理にも貢献することができる。また、このペット健康管理システム１００では、携帯電話５０からフィーダ装置２８を遠隔制御することができる。このため、このペット健康管理システム１００では、飼い主は、外出中であってもペット４０様子を観察しながらペット４０の健康状態を判断してペット４０に与える餌や飲料の種類、量、あるいはフィード時間などを調整することができる。したがって、このペット健康管理システム１００は、ペットの健康維持などにも貢献することができる。
【００６４】
（６）
本実施の形態に係るペット健康管理システム１００では、空調コントローラ２２が、ペット４０の状態情報、室温情報、および湿度情報などを利用してエアコン３１および空気清浄機３２を自動制御する。このため、このペット健康管理システム１００では、飼い主が外出中であっても、空調コントローラ２２がペット４０に適した空調空間を作り出してくれる。したがって、このペット健康管理システム１００は、ペットの健康維持などにも貢献することができる。
【００６５】
（７）
本実施の形態に係るペット健康管理システム１００では、制御指令生成部２８１が、ペット４０の状態情報などを利用して餌供給部２８２および水供給部２８３を制御する。このため、このペット健康管理システム１００では、ペット４０の健康状態に応じて与える餌や飲料の種類、量、あるいはフィード時間などを制御することができる。したがって、このペット健康管理システム１００は、ペットの健康維持などにも貢献することができる。
【００６６】
（８）
本実施の形態に係るペット健康管理システム１００では、モニタ２４が、カメラ付き携帯電話５０から送信される画像情報を表示することができる。また、このペット健康管理システム１００では、スピーカ２６が、携帯電話５０からの通話を出力することができる。このため、このペット健康管理システム１００では、飼い主は、いつでもペット４０に自身の映像を見せることができ、いつでもペット４０に話しかけることができる。したがって、このペット健康管理システム１００では、ペット４０を安心させることができる。また、このペット健康管理システム１００では、押しボタンスイッチ３０が押されると、ホームサーバ２１が、飼い主の携帯電話５０に電子メールを送信する。このため、このペット健康管理システム１００では、飼い主が電子メールを受信する都度にモニタ２４に自身の画像を表示させたりスピーカ２６越しにペットに話しかけたりするなどしてペット４０に対して『押しボタンを押せば「飼い主に会うことができる」、「飼い主の声を聴くことができる」』と意識付けさせることに成功すれば、飼い主は、「ペット４０から電子メールなどをもらっている」、「ペット４０が私に会いたがっている」という感覚を楽しむことができる。したがって、このペット健康管理システム１００は、飼い主とペット４０とのコミュニケーションを良好なものとするのに貢献することができる。
【００６７】
（９）
本実施の形態に係るペット健康管理システム１００では、Ｗｅｂカメラ２５が、飼い主の携帯電話５０からホームサーバ２１を介して遠隔制御されるように設定されており、携帯電話５０から制御指令を受信すると、自動的に首を振りながら撮影を開始し、リアルタイムで携帯電話５０にその映像を送信する。このため、このペット健康管理システム１００では、飼い主は、いつでもペット４０の様子を確認することができる。
【００６８】
（１０）
本実施の形態に係るペット健康管理システム１００では、家庭２０に設置されるホームサーバ２１に第１ペット健康管理データベース２１４ｂが保持されている。このため、このペット健康管理システム１００では、飼い主は、ペット４０を獣医に連れて行ったりペットホテルに滞在させたりする場合などに、第１ペット健康管理データベース２１４ｂ内に登録される情報をその獣医やペットホテル事業者に提供することができ、その獣医やペットホテル事業者などはその情報に基づいてペット４０の診察を行ったり健康管理を行ったりすることができる。
【００６９】
［変形例］
（Ａ）
先の実施の形態に係るペット健康管理システム１００では、エアコン３１、空気清浄機３２、およびフィーダ装置２８がホームサーバ２１を介して遠隔制御可能になっていたが、これらの機器２８，３１，３２は、管理サーバ１１のＷｅｂサーバ１１４ｂを介して遠隔制御可能になっていてもよい。かかる場合、Ｗｅｂサーバ１１４ｂに各顧客専用のＷｅｂページを開設し、そのＷｅｂページに制御パラメータや制御指令などの入力欄を設けたり、飼い主の携帯電話５０や携帯端末にＷｅｂブラウザをインストールしたりするなどの処置が必要となる。このようにすれば、飼い主が携帯電話５０などを携帯していなくてもネットカフェやホテルなどに備え付けられている情報端末を用いて各機器２８，３１，３２の遠隔制御を行うことができる。また、このように、顧客ごとに専用のＷｅｂページが開設される場合、その専用Ｗｅｂページに、その顧客のペット４０にのみ必要と思われる獣医情報、ペットホテル情報、ペット４０の健康知識、予防接種や定期検診などの案内情報、ペットに安全な商品のカタログ情報などを選別して掲載するようにしてもよい。また、このＷｅｂページにそのペット４０の予防接種あるいは定期検診のお知らせなどを掲示するようにしてもよい。
【００７０】
（Ｂ）
先の実施の形態に係るペット健康管理システム１００では、エアコン３１、空気清浄機３２、およびフィーダ装置２８がホームサーバ２１を介して遠隔制御可能になっていたが、これらの機器２８，３１，３２は、携帯電話５０から直接的に遠隔制御可能となっていてもよい。ただし、この場合は、これらの機器２８，３１，３２にモデムなどの通信機器を搭載するなどの処置が必要となる。
【００７１】
（Ｃ）
先の実施の形態に係るペット健康管理システム１００では、押しボタンスイッチ３０がモニタ２４、Ｗｅｂカメラ２５、スピーカ２６、およびマイク２７の近傍に配備されていたが、押しボタンスイッチ３０は、寝床の下などにも設置されてもよい。このようにすれば、飼い主は、ペット４０が寝床に帰ってくる都度に、例えば「お休みなさい」という旨の電子メールを受け取ることができる。
【００７２】
（Ｄ）
先の実施の形態に係るペット健康管理システム１００では、携帯電話５０に、エアコン３１、空気清浄機３２、Ｗｅｂカメラ２５、およびフィーダ装置２８の遠隔制御機能を付与していたが、これに代えて、モバイル機器に上記の機器の遠隔制御機能が付与してもよい。
【００７３】
（Ｅ）
先の実施の形態に係るペット健康管理システム１００では、電子メールが携帯電話５０に送信されたが、電子メールは、他のモバイル機器に送信されてもよい。
（Ｆ）
先の実施の形態に係るペット健康管理システム１００では、空調コントローラ２２が有線でホームサーバ２１にネットワーク接続され、空調コントローラ２２において生成された制御パラメータや制御指令などが、リモコン形式でエアコンおよび空気清浄機に送信されたが、空調コントローラ２２がエアコン３１および空気清浄機３２それぞれに内蔵され、エアコン３１および空気清浄機３２が有線でホームサーバ２１１にネットワーク接続されてもかまわない。
【００７４】
（Ｇ）
先の実施の形態に係るペット健康管理システム１００では、ペット管理センサ４１と空調コントローラ２２とが無線接続されていたが、ペット管理センサ４１と空調コントローラ２２とは、有線接続されていてもかまわない。
（Ｈ）
先の実施の形態に係るペット健康管理システム１００では、ペット管理センサ４１に接触型のセンサが内蔵されたが、これに代えて、非接触型のセンサを内蔵してもよい。非接触型のセンサとは、例えば、超音波センサやマイクロ波センサなどである。超音波センサやマイクロ波センサは、非接触で生体の心拍数や呼吸数を計測することができる。ただし、これらのセンサは、超音波やマイクロ波が心臓付近に照射されるように取り付けられる必要がある。
【００７５】
（Ｉ）
先の実施の形態に係るペット健康管理システム１００では、体温計によりペット４０の体温を計測したが、サーモグラフィによりペット４０の体温を計測してもかまわない。
（Ｊ）
先の実施の形態に係るペット健康管理システム１００では、マイク２７はモニタ２４および押しボタンスイッチ３０の近傍に配備されたが、マイク２７は、ペット管理センサ４１に内蔵されてもかまわない。
【００７６】
（Ｋ）
先の実施の形態に係るペット健康管理システム１００では、ペット管理センサ４１に内蔵されるＲＦＩＤタグとゲートセンサ２３との組合せによってペット４０の居場所、通過経路、行動範囲、および運動量が割り出されたが、ＧＰＳアンテナやBluetoothなどをペット管理センサ４１に内蔵することによってペット４０の居場所、通過経路、行動範囲、および運動量を割り出してもよい。また、ペット４０の居場所は、カメラやサーモグラフィなどを利用して割り出してもよい。
【００７７】
（Ｌ）
先の実施の形態に係るペット健康管理システム１００では、管理サーバ１１にペット健康管理アプリケーション１１４ａがインストールされていたが、ホームサーバ２１にペット健康管理アプリケーション１１４ａがインストールされてもよい。
（Ｍ）
先の実施の形態に係るペット健康管理システム１００では、押しボタンスイッチ３０が押されたときに、ホームサーバ２１から飼い主の携帯電話５０に電子メールが送信されたが、これに代えて、ペット管理センサ４１を付けたペット４０が所定のゲートセンサ２３が通過したとき、サーモセンサによりペット４０が検知されたとき、重量センサで所定の重量が検出されたとき、ペット４０がある特定の音声を発したとき（声紋判定）、ドアセンサが反応したときなどにホームサーバ２１から飼い主の携帯電話５０に電子メールが送信されるようにしてもよい。なお、ここで、ペット４０がある特定の音声を発したときにホームサーバ２１から飼い主の携帯電話５０に電子メールが送信されるようにするためには、予め特定の状態にあるペット４０の音声（例えば、ペットが激しく吠えているときの音声やペットが切なそうな鳴き声を発しているときの音声など）を取得して声紋を調べておき、その声紋と一致するかを判定するなどの必要がある。例えば、ペット４０が吠えているときにホームサーバ２１から飼い主の携帯電話５０に電子メールが送信されるようにすれば、防犯などに役立てることができる。また、ペット４０が切なそうな鳴き声を発しているときにホームサーバ２１から飼い主の携帯電話５０に電子メールが送信されるようにすれば、飼い主は、外出中であってもペット４０の心境などを察することができる。
【００７８】
（Ｎ）
先の実施の形態に係るペット健康管理システム１００では、特に言及していなかったが、エアコン３１や空気清浄機３２に香り成分やエッセンシャルオイルなどの散布機能を付与してもよい。また、ペット４０の状態情報に応じて香りを選択し空気中に散布させるようにしてもよい。このようにすれば、ペット４０の体調が悪い場合においてペット４０の好む香りを空気中に散布するように制御すればその悪化の度合いを下げる効果などを期待することができる。
【００７９】
（Ｏ）
先の実施の形態に係るペット健康管理システム１００では、Ｗｅｂカメラ２５、マイク２７、スピーカ２６、およびモニタ２４は独立して存在したが、これらの機器２４〜２７は、エアコン３１、空気清浄機３２、あるいは空調コントローラ２２などに内蔵されてもよい
（Ｐ）
先の実施の形態に係るペット健康管理システム１００では、家庭２０にホームサーバ２１が配備されていてが、これに代えて、ルータを配備してもかまわない。かかる場合、電子メールアプリケーションは、管理サーバ１１にインストールされることとなる。
【００８０】
（Ｑ）
先の実施の形態に係るペット健康管理システム１００では、特に言及していなかったが、携帯電話５０から特定の電話番号を介してマイク２７にアクセスできるようにしてもかまわない。このようにすれば、飼い主は、いつでもペット４０の鳴き声などを聴くことができペット４０の体調などを確認することができる。
【００８１】
（Ｒ）
先の実施の形態に係るペット健康管理システム１００では、各種機器２２〜３０がホームサーバ２１に有線接続されたが、各種機器２２〜３０は、ホームサーバ２１に無線接続されてもかまわない。
【産業上の利用可能性】
【００８２】
本発明に係るペット健康管理システムは、ペットの異常を確実に検出することができるという特徴を有し、ペットの健康管理に有用である。
【図面の簡単な説明】
【００８３】
【図１】本発明に係るペット健康管理システムの概略構成図。
【図２】本発明に係るペット健康管理システムに採用される空調コントローラの機能ブロック図。
【図３】本発明に係るペット健康管理システムに採用されるフィーダ装置の機能ブロック図。
【図４】本発明に係るペット健康管理システムに採用されるホームサーバの概略構成図。
【図５】本発明に係るペット健康管理システムに採用されるメッセージデータベースに保持されるメッセージ管理テーブルを表す図。
【図６】本発明に係るペット健康管理システムに採用される管理サーバの概略構成図。
【符号の説明】
【００８４】
１２      管理者端末（ペット状態情報表示装置）
２１      ホームサーバ（画像取得装置、音声取得装置）
２２      空調コントローラ（空調制御装置）
２３      ゲートセンサ（ペット状態情報取得装置）
２４      モニタ（画像映出装置）
２５      Ｗｅｂカメラ（画像情報取得装置、画像情報取得部）
２６      スピーカ（音声出力装置）
２７      マイク（音声情報取得部）
２９      体重計（ペット状態情報取得装置）
３０      押しボタンスイッチ（押しボタン装置）
３１      エアコン（空気調和装置）
３２      空気清浄機（空気調和装置）
４０      ペット
４１      ペット管理センサ（ペット状態情報取得装置）
５０      カメラ付き携帯電話（情報処理装置）
１００      ペット健康管理システム
１１１      中央処理演算装置（ペット健康判断装置）
１１３      モデム（情報送信装置）
１１４      ハードディスク（ペット状態情報保存装置）
２１３      モデム（制御情報受信装置）
２８１      制御指令生成部（フィーダ制御装置）
２８２      餌供給部（フィーダ装置）
２８３      水供給部（フィーダ装置）
２８５      第１管理用重量センサ（ペット状態情報取得装置）
２８６      第２管理用重量センサ（ペット状態情報取得装置）
【図１】
2006042670.tif 000003
【図２】
2006042670.tif 000004
【図３】
2006042670.tif 000005
【図４】
2006042670.tif 000006
【図５】
2006042670.tif 000007
【図６】
2006042670.tif 000008